(57)【要約】      （修正有）【課題】１つの本体で、頑固な汚れが付着した靴等の洗浄を可能とした洗浄用具を提供する。【解決手段】洗浄用具は基体部と柄部３を有する本体部１と、この本体部１に取り付ける洗浄部２とから構成され、柄部３の先端から突出する基体部６の片面には、多数本の硬質の線状樹脂によるブラシ体９が設けられている。洗浄部２は柔軟な合成樹脂から成る繊維体１１をＵ字状に湾曲してたわし状にしたものであり、洗浄部２の両端から突出した針金を膨出部５に設けた挿入孔部に挿入することにより、基体部６の周囲を取り囲むように本体部１に固定されている。【選択図】図１
0003207729.tif 000002
【実用新案登録請求の範囲】
【請求項１】
柄部、及び該柄部の先端から突出した基体部を有する本体部と、柔軟な樹脂材から成る洗浄部を有する洗浄部とから成る洗浄用具であって、
前記基体部の片面には硬質の線状樹脂材から成るブラシ体が設けられ、
前記基体部の周囲を取り囲むように、前記洗浄部が前記本体部に取り付けられていることを特徴とする洗浄用具。
【請求項２】
前記洗浄部は円柱状の繊維体をＵ字状に湾曲したものであることを特徴とする請求項１に記載の洗浄用具。
【請求項３】
前記繊維体は針金に挟み込み、束ねられたものであることを特徴とする請求項２に記載の洗浄用具。
【請求項４】
前記柄部の先端には幅広に膨出する膨出部を備え、前記洗浄部の両端から突出する前記針金を前記膨出部に設けた挿入孔部に挿入することにより、前記洗浄部を前記基体部の周囲を取り囲むように前記本体部に固定することを特徴とする請求項３に記載の洗浄用具。
【請求項５】
前記柄部の後端に、孔部を設けた引掛部を備えたことを特徴とする請求項１〜４の何れか１項に記載の洗浄用具。
【考案の詳細な説明】
【技術分野】
【０００１】
本考案は、例えば靴の内外部の洗浄のために好適に用いることができる洗浄用具に関するものである。
【背景技術】
【０００２】
特許文献１には、シューズの汚れを落とすのに用いる洗浄ブラシが開示されている。この清掃用ブラシをシューズの外側や内側に対して、粉粒体、液体の洗剤と共に力を加えながら把柄を摺動させることで、シューズの外側や内側に付着した汚れを落とすことが可能である。
【先行技術文献】
【特許文献】
【０００３】
【特許文献１】意匠第１０７２３２７号公報
【考案の概要】
【考案が解決しようとする課題】
【０００４】
しかし、特許文献１の清掃用ブラシのブラシ面だけでは、洗剤がなかなか泡立たず、頑固な汚れ、例えば運動靴の外側表面に付着した汚れに対して、泡により汚れを十分に浮かび上がらせることができないという問題がある。このため、洗浄のために必要以上に擦り続ける必要がある。
【０００５】
また、洗剤を泡立たせて、汚れを浮かび上がらすために泡立ち易い、例えばスポンジ体等の柔軟な樹脂材から成る清掃具を用いて、最初に汚れを浮かび上がらせた後に、洗浄を行うと簡便に汚れを落とすことができる。
【０００６】
しかし、運動靴等の外側表面にこびり付いた頑固な汚れに対しては、上述のスポンジ体等の清掃具だけでは十分に落とすことができないので、特許文献１の清掃用ブラシを用いて擦り落とす必要が生ずる。
【０００７】
このように、頑固な汚れが付着した運動靴等を効率的に洗浄する場合には、２種類の清掃具を用意する必要があり、使い分けが面倒である。
【０００８】
更には、特許文献１の清掃用ブラシの場合には、靴の内側の爪先等を含む狭い個所までブラシ面で擦ることが難しいという問題もある。
【０００９】
本考案の目的は、上述の課題を解消し、１個の用具で、頑固な汚れが付着した靴等の洗浄を可能にし、狭い個所まで擦ることが可能な洗浄用具を提供することにある。
【課題を解決するための手段】
【００１０】
上記目的を達成するための本考案に係る洗浄用具は、柄部、及び該柄部の先端から突出した基体部を有する本体部と、柔軟な樹脂材から成る洗浄部を有する洗浄部とから成る洗浄用具であって、前記基体部の片面には硬質の線状樹脂材から成るブラシ体が設けられ、前記基体部の周囲を取り囲むように、前記洗浄部が前記本体部に取り付けられていることを特徴とする。
【考案の効果】
【００１１】
本考案に係る洗浄用具によれば、片面にブラシ体を設けた基体部の周囲を取り囲むように柔軟な洗浄部を設けることで、泡立ち効果が高く、狭い個所を含む隅々まで洗浄可能な洗浄部と、頑固な汚れを擦り落とすことが可能なブラシ体とを使い分けながら、靴等の洗浄を効率的に行うことができる。
【図面の簡単な説明】
【００１２】
【図１】洗浄用具の分解斜視図である。
【図２】上方から見た斜視図である。
【図３】下方から見た斜視図である。
【考案を実施するための形態】
【００１３】
本考案を図示の実施例に基づいて詳細に説明する。
図１は洗浄用具の分解斜視図であり、図２は洗浄用具を上方から見た斜視図であり、図３は洗浄用具を下方から見た斜視図である。
【００１４】
洗浄用具は、本体部１と、この本体部１に取り付ける洗浄部２とから構成され、本体部１は緩やかに湾曲した柄部３と、この柄部３の後端に設けた引掛部４と、柄部３の先端から幅広に膨出する膨出部５と、膨出部５の中央であって、柄部３の先端から突出した基体部６とから構成されている。
【００１５】
柄部３は軽量化のために筒状体とされ、この柄部３の後端の筒穴を塞ぐように引掛部４が嵌合されており、引掛部４には孔部７が設けられている。なお、柄部３は必ずしも筒状体にする必要はなく、棒状体の柄部３の後端に引掛部４を適宜に取り付ければよい。
【００１６】
柄部３と膨出部５と基体部６とは、硬質の合成樹脂により一体成型されている。引掛部４は柄部３と同様に、硬質の合成樹脂により製造してもよいし、ゴム等の弾性材で製造してもよく、更には柄部３等と共に引掛部４を含めて一体成型してもよい。
【００１７】
基体部６の周囲には凹溝８が形成されており、基体部６の片面、例えば裏面には、硬質の樹脂材、例えばナイロンやポリエチレンにより一体成形した線状樹脂材から成るブラシ体９が設けられている。
【００１８】
なお、ブラシ体９は基体部６の両面に設けてもよいし、多数本の硬質の線状樹脂材を束ねて植毛して製造する等の適宜な製造方法で製造してもよい。また、基体部６の表面は材料を軽量化のために凹状とされているが、強度上の問題はない。
【００１９】
洗浄部２は複数本の針金１０に、柔軟な合成樹脂等の樹脂材、例えばアクリル等から成る繊維体１１を挟み込みながら撚り合わせ、束ねた繊維体１１を円柱状に刈り込んだ後に、Ｕ字状に湾曲してたわし状とされている。
【００２０】
洗浄部２の両端からは針金１０が突出されており、Ｕ字状に湾曲した洗浄部２の内側面を凹溝８に沿って摺動させると共に、突出した針金１０を膨出部５に設けた挿入孔部１２に挿入することにより、図２、図３に示すように洗浄部２は基体部６の周囲を取り囲むように本体部１に固定された状態となる。
【００２１】
洗浄用具を例えば運動靴の洗浄に使用する場合には、粉粒体又は液体の洗剤と共に洗浄部２及びブラシ体９で運動靴の外側及び内側を擦る。なお、洗浄する対象物は、靴以外にサンダルや布地体等、適宜のものを対象に洗浄することが可能である。
【００２２】
水分を含んだ洗剤は洗浄部２の繊維体１１により擦ると良好に泡立ち、発生した泡によって運動靴に付着した汚れを浮かび上がらせることができる。
【００２３】
また、洗浄部２は洗浄用具の先端を広く覆っているため、任意の角度で対象物を擦ることができ、靴の内側の爪先等を含む狭い個所であっても、容易に洗浄することができる。
【００２４】
洗浄部２及びブラシ体９によって一通りの洗浄を完了した後に、落とし切れなかった頑固な汚れに対しては、ブラシ体９によって集中的に擦り落とすことも可能である。ブラシ体９は硬質の繊維から成るため、強く擦ることで運動靴の外側表面等に付着した頑固な汚れを容易に落とすことが可能である。
【００２５】
洗浄用具で洗浄を完了した後は、洗浄部２及びブラシ体９の水切りをし、引掛部４の孔部７をフック等に引っ掛けて保管する。
【００２６】
このように本考案の洗浄用具は、泡立ち効果が高く、狭い個所を含む隅々まで洗浄可能な洗浄部２と、頑固な汚れを擦り落とすことが可能なブラシ体９とを一体に設けることで、靴等の洗浄を効率的に行うことができる。
【符号の説明】
【００２７】
１  本体部
２  洗浄部
３  柄部
４  引掛部
５  膨出部
６  基体部
７  孔部
８  凹溝
９  ブラシ体
１０  針金
１１  繊維体
１２  挿入孔部
【図１】
0003207729.tif 000003
【図２】
0003207729.tif 000004
【図３】
0003207729.tif 000005
【手続補正書】
【提出日】平成28年9月23日(2016.9.23)
【手続補正１】
【補正対象書類名】実用新案登録請求の範囲
【補正対象項目名】全文
【補正方法】変更
【補正の内容】
【実用新案登録請求の範囲】
【請求項１】
柄部、及び該柄部の先端から突出した基体部を有する本体部と、柔軟な樹脂材から成る洗浄部とから成る洗浄用具であって、
前記基体部の片面には硬質の線状樹脂材から成るブラシ体が設けられ、
前記基体部の周囲を取り囲むように、前記洗浄部が前記本体部に取り付けられていることを特徴とする洗浄用具。
【請求項２】
前記洗浄部は円柱状の繊維体をＵ字状に湾曲したものであることを特徴とする請求項１に記載の洗浄用具。
【請求項３】
前記繊維体は針金に挟み込み、束ねられたものであることを特徴とする請求項２に記載の洗浄用具。
【請求項４】
前記柄部の先端には幅広に膨出する膨出部を備え、前記洗浄部の両端から突出する前記針金を前記膨出部に設けた挿入孔部に挿入することにより、前記洗浄部を前記基体部の周囲を取り囲むように前記本体部に固定することを特徴とする請求項３に記載の洗浄用具。
【請求項５】
前記柄部の後端に、孔部を設けた引掛部を備えたことを特徴とする請求項１〜４の何れか１項に記載の洗浄用具。
【手続補正２】
【補正対象書類名】明細書
【補正対象項目名】００１０
【補正方法】変更
【補正の内容】
【００１０】
上記目的を達成するための本考案に係る洗浄用具は、柄部、及び該柄部の先端から突出した基体部を有する本体部と、柔軟な樹脂材から成る洗浄部とから成る洗浄用具であって、前記基体部の片面には硬質の線状樹脂材から成るブラシ体が設けられ、前記基体部の周囲を取り囲むように、前記洗浄部が前記本体部に取り付けられていることを特徴とする